(57)【要約】【課題】土や汚れたものを扱い、細かな作業を行う場合に手になじみ、作業性に優れるとともに肌荒れを生じにくい農園芸作業用手袋を提供する。【解決手段】天然繊維や化学繊維によって編み立てた手袋本体１の表面に、ポリウレタン樹脂を塗布する作業用手袋において、手袋本体１に塗布するポリウレタン樹脂にコラーゲンを含有させる。手袋本体１は15ゲージ程度の細かな目に編み立て、表面に微粉末とした動物性コラーゲンを４〜８重量％程度混合したポリウレタン樹脂を塗布する。ポリウレタン樹脂を塗布する範囲は、甲部分、手首部分及び指の上面部分を除く手のひらと指の側面部分とするのが好ましい。【選択図】  図１
2007169848.tif 000002
【特許請求の範囲】
【請求項１】
天然繊維や化学繊維によって編み立てた手袋本体の表面に、ポリウレタン樹脂を塗布する作業用手袋において、手袋本体に塗布するポリウレタン樹脂にコラーゲンを含有させたことを特徴とする農園芸作業用手袋。
【請求項２】
手袋本体は細い糸で15ゲージ程度の細かな目に編み立て、表面に微粉末とした動物性コラーゲンを４〜８重量％混合したポリウレタン樹脂を塗布することを特徴とする請求項１記載の農園芸作業用手袋。
【請求項３】
コラーゲンを含有するポリウレタン樹脂は、甲部分、手首部分及び指の上面部分を除く手のひらと指の側面部分をポリウレタン樹脂塗布領域としたことを特徴とする請求項１又は２記載の農園芸作業用手袋。
【発明の詳細な説明】
【技術分野】
【０００１】
この発明は、主として農園芸作業に際して着用する他、手荒れを生じ易い作業に使用することができる作業用手袋に関する発明である。
【背景技術】
【０００２】
農園芸作業に際して使用する作業用手袋として、軍手などの布製の作業用手袋やゴム製の手袋が広く知られている。また、農園芸作業に限らず、一般的な作業用手袋として、主として作業の安全性や耐久性を目的として、軍手などの編み手袋本体表面にポリウレタン樹脂を塗布、コーティングしたものが広く知られている。
手袋本体の表面に塗布(コーティング)するポリウレタン樹脂は、ポリウレタン樹脂単体で用いるのが一般的であり、ポリウレタン樹脂を多孔質として蒸れを防止する思想(特許文献１)などが提案されている。
【特許文献１】特開２００２―３７１４１１号公報
【特許文献２】特開２００１―１４６６１４号公報
【特許文献３】特開平０７―２７８９２４号公報
【発明の開示】
【発明が解決しようとする課題】
【０００３】
一般的な作業用手袋において、編み立てた手袋本体の表面にポリウレタン樹脂を塗布する思想は公知であるが、農園芸作業では軍手のようにポリウレタン樹脂を塗布しない手袋を使用するのが一般的である。しかしながら、公知の軍手のような作業用手袋では、装着したときに手にフィットしないため、細かな作業がし難いという欠点があった。また、農園芸作業では、水分を含んだ土など濡れたものを扱うことが多く、従来の軍手などの手袋や公知の作業用手袋では、染み込んだ刺激的な泥水などによって、あるいは蒸れによって手荒れを生じ易い欠点があった。
【０００４】
上記従来技術の欠点に鑑み、本発明は農園芸作業に際して使い易く、しかも手荒れを防止することができる、農園芸用作業手袋を提供することを目的とするものである。
【課題を解決するための手段】
【０００５】
上記目的を達成するため、本発明は農園芸作業用手袋として、天然繊維や化学繊維によって編み立てた手袋本体１の表面に、ポリウレタン樹脂を塗布する。このとき、手袋本体１に塗布するポリウレタン樹脂にコラーゲンを含有させておく。
手袋本体は細い糸で15ゲージ程度の細かな目に編み立て、表面に微粉末とした動物性コラーゲンを４〜８重量％程度混合したポリウレタン樹脂を塗布するのが望ましい。
コラーゲンを含有するポリウレタン樹脂を塗布する範囲は、全体に塗布するものであってもよいが、甲部分、手首部分及び指の上面部分を除く手のひらと指の側面部分をポリウレタン樹脂塗布領域２とすることができる。
【発明の効果】
【０００６】
請求項１記載の本発明農園芸作業用手袋によれば、編み組織である手袋本体の表面にポリウレタン樹脂を塗布する結果、ポリウレタン樹脂は手袋本体の内面にまで達し、装着したときに編み地のみの手袋に比較して手にフィットし、作業性に優れる。そして、手袋を装着したとき、手の表面にポリウレタン樹脂が接触し、ポリウレタン樹脂内にコラーゲンが含まれているため肌に優しく、肌荒れを防止する。
【０００７】
請求項２記載の発明によれば、手袋本体１自体が柔軟であって、細かな農園芸作業に適したものとすることができる。さらに、請求項３記載の発明によれば、手の上面部分においてポリウレタン樹脂の塗布が省略されているため、手袋を装着したときに手袋本体の伸縮性によって、より手指を自由に動かすことができ、作業性に優れるとともに、手袋内での蒸れを少なくすることができる。
【発明を実施するための最良の形態】
【０００８】
添付図面は、本発明に農園芸作業用手袋の実施形態を示すもので、本発明の実施形態を添付の図面に基づいて説明する。
図１は農園芸作業用手袋全体の正面図、図２はその背面図、図３は図１のIII―III線拡大断面図、図３は図１のIII―III線拡大断面図である。
【０００９】
手袋本体１は、公知の軍手のようにシームレスで編み立てる。このとき、比較的細く伸縮性を備えたナイロン糸などの柔らかく編み立てたときに、綿糸よりも柔軟性のある素材を用い、例えば15ゲージ程度の細かな目に編み立てる。これにより、手袋本体１自体が通常の軍手のような作業用手袋よりも薄く、自由に手指を動かし細かな作業に適したものとなる。細い糸とは、15ゲージ程度に編み立てることができる太さであれば、特に限定されるものではない。
【００１０】
上記、手袋本体１の表面には、ポリウレタン樹脂を塗布する。手袋本体１の表面に塗布するポリウレタン樹脂には、コラーゲンを含有させる。コラーゲンが手肌に優しく肌荒れを防止することは、基礎化粧品やクリームなどに広く利用されていることから公知である。しかしながら、コラーゲンを手袋に応用したものはなく、肌荒れを生じ易い土仕事を行う作業用手袋に応用したことが本願発明の最大の特徴である。
【００１１】
コラーゲンそのものは、皮膚から吸収されるようなものではなく、皮膚の表面に接することによって肌を守ると考えられる。したがって、手袋を装着したときに、コラーゲンを含有したポリウレタン樹脂が常時手肌に接することによって手袋本体１を通して浸入する泥水や土による肌荒れを防止することができる。
【００１２】
ポリウレタン樹脂に含有させるコラーゲンは、微粉末とした動物性コラーゲンを用いることによって、ポリウレタン樹脂とコラーゲンが均質に混合され、良好な結果を得ることができた。
【００１３】
農園芸用手袋として、その色を黒色あるいは濃い色に着色することによって紫外線を防止する効果が期待できるため、手袋本体１及び塗布するポリウレタン樹脂を黒色に着色するのが効果的である。すなわち、塗布するべきポリウレタン樹脂にＤＭＦ溶剤、黒色顔料、安定材とともにコラーゲンを混入して塗布溶液を得る。このとき、ポリウレタン樹脂に顔料やコラーゲンといった不純物が多く混入されると、ポリウレタン樹脂が硬くなる傾向があり、混入させるコラーゲンはポリウレタン樹脂の４〜８重量％、好ましくは６重量％程度の混入によって、柔軟性を保持したポリウレタン樹脂を実現することができた。
【００１４】
ポリウレタン樹脂は、手袋本体１の全表面に塗布するものであってもよいが、作業に際して土などが当たる部分、換言すれば手のひらと指の側面部分をポリウレタン樹脂塗布領域２とし、甲部分３、手首部分４及び指の上面部分５をポリウレタン樹脂未塗布領域とすることによって、作業性に優れた作業用手袋とすることができる。
【００１５】
手袋構造に編み立てた手袋本体１に、塗布溶液の状態に調製したポリウレタン樹脂を塗布するには、平面的に配置した状態で塗布するものであってもよいが、手袋本体を手形に装着した状態で手のひら側を塗布溶液に浸漬する状態で塗布し、手形に装着した状態で乾燥処理することができる。この塗布方法では、第一に塗布作業と乾燥作業を連続して能率的に行うことができる。第二に、手の形そのままにポリウレタン樹脂が塗布され、その形を維持するため、手にぴったりとフィットし、極めて使い勝手の良いものとすることができる。
【００１６】
手形に装着しない状態でポリウレタン樹脂を塗布した場合は、ポリウレタン樹脂の平面を維持しようとする弾性によって、手袋を装着したときに手のひらと手袋の間に空間を生じ、ぴったりとフィットしないが、手形に装着してポリウレタンを塗布したものでは、手のひらの曲面に沿った形状に成型されるため、極めて作業性に優れた農園芸作業用手袋を実現することができる。
【００１７】
すなわち図３に拡大図で示すように、編み地である手袋本体１に、溶液状のポリウレタン樹脂を浸漬して塗布した場合、ポリウレタン樹脂層の中に手袋本体の素材が埋設された状態に形成される。そのため、ポリウレタン樹脂による保形性が強く影響するが、ポリウレタン樹脂材をできるだけ柔らかい状態とし、形状そのものが手の形状に形成されることによって、手袋を手にフィットさせることができるものである。
【００１８】
もっとも、手袋本体１に塗布するポリウレタン樹脂層の厚みは、薄いほうが自由に農園芸作業を進めることができる。そのため、手袋本体１を比較的細い糸を用い、細かな目で編み立てることによって、ポリウレタン樹脂層の厚さそのものを薄く形成することができるものである。
【００１９】
以上述べた、本発明に係る農園芸作業用手袋では、装着した手の表面がコラーゲンを含むポリウレタン樹脂の表面に当接することになるため、農園芸作業に伴う肌荒れを防止することができる。また、手袋表面の手のひら部分は、比較的平滑な表面となるポリウレタン樹脂面となるため、織り地のように記事の繊維が直接露出しないため、土や藁屑などのごみが付着しにくく、しかもポリウレタン樹脂による手袋のポリウレタン樹脂領域の形状が、手にフィットする形状であるため、使い易い機能性に優れた農園芸作業用手袋を実現することができるものである。
【図面の簡単な説明】
【００２０】
【図１】図１は、本発明に係る農園芸作業用手袋全体の正面図、
【図２】図２は、本発明に係る農園芸作業用手袋全体の背面図、
【図３】図３は、図１のIII―III線拡大断面図である。
【符号の説明】
【００２１】
１…手袋本体、  ２…ポリウレタン樹脂塗布領域、  ３…甲部分、  ４…手首部分、  ５…指の上面部分。
【図１】
2007169848.tif 000003
【図２】
2007169848.tif 000004
【図３】
2007169848.tif 000005